(57)【要約】      （修正有）【課題】身体の異なる部位を鍛練するために使用される引張式運動装置を提供する。【解決手段】本体と、その前端に設けられる牽引装置と、それを包覆するカバーとを有し、前記本体は、少なくとも前支持ロッドと、後支持ロッドと、中間ロッドと、該中間ロッドに摺動可能に設けられる座と、を備え、前記前支持ロッドの上部と下部に切欠きと貫通孔が形成され、該切欠きと貫通孔に弾性ロープが設けられ、前記牽引装置は、該前支持ロッドの底部に設けられる取付座を有し、該取付座の上側に平行の取付ブロックが設けられ、その両端にスプリングと回転部材を結合する枢軸が枢設され、該回転部材の周縁に抵抗装置が設けられ、該抵抗装置はロープによって該カバーに設ける調整部材と連結され、前記枢軸の中段にロープが設けられ、該ロープの他端がカバーを貫通してハンドルと連結されることを特徴とする。【選択図】図１
0003112719.tif 000002
【実用新案登録請求の範囲】
【請求項１】
本体と、該本体の前端に設けられる牽引装置と、該牽引装置を包覆するカバーとを有し、
前記本体は、少なくとも前支持ロッドと、後支持ロッドと、該前支持ロッドと後支持ロッドを連結する中間ロッドと、該中間ロッドに摺動可能に設けられる座と、を備え、
前記前支持ロッドの上部と下部に切欠きと貫通孔が形成され、該切欠きと貫通孔に弾性ロープが設けられ、
前記牽引装置は、該前支持ロッドの底部に設けられる取付座を有し、該取付座の上側に平行の取付ブロックが設けられ、該取付ブロック同士の間に両端にスプリングと回転部材を結合する枢軸が枢設され、該回転部材の周縁に抵抗装置が設けられ、該抵抗装置はロープによって該カバーに設ける調整部材と連結され、
前記枢軸の中段にロープが設けられ、該ロープの他端がカバーを貫通してハンドルと連結されることを特徴とする引張式運動装置。
【請求項２】
該抵抗装置は一端が取付座に設けられると共に、他端がスプリングと連結されるバンドであり、該スプリングの一端が取付座に設けられると共に、他端にロープが設けられ、該ロープの他端がカバーに設ける調整部材と連結され、前記前支持ロッドの下部に中間ロッドに向かってペダルが設けられることを特徴とする請求項１に記載の引張式運動装置。
【請求項３】
前記取付座における回転部材の一側に磁性を有する抵抗装置が設けられると共に、該回転部材の外側に金属プレートが設けられ、ロープによって抵抗装置と回転部材との距離を制御することにより、回転部材の抵抗力を調整し、前記前支持ロッドの下部に中間ロッドに向かってペダルが設けられることを特徴とする請求項１に記載の引張式運動装置。
【考案の詳細な説明】
【技術分野】
【０００１】
本考案は、特に身体を鍛練するために使用される引張式運動装置に関するものである。
【背景技術】
【０００２】
従来の運動装置は、身体のあらゆる部位を鍛錬するために様々な形状を有し、例えば、ウォーキングマシン、サイクルマシン、ステッパー及びトーイングトリマー等を有する。
【考案の開示】
【考案が解決しようとする課題】
【０００３】
しかしながら、前記従来の運動装置は、単一の運動効果しかないことから、身体の異なる部位を鍛練するためには、複数の運動装置を購入する必要があるので、使用者に対して経済的な負担となる。又、従来においては、身体の異なる部位を鍛練する運動装置は有するが、このような運動装置の体積は非常に大きく、高価であるので、一般の家庭では使用されていない。
【０００４】
そこで、提案されたのが本考案であって、身体の異なる部位を鍛練するために使用される引張式運動装置を提供することを目的としている。
【課題を解決するための手段】
【０００５】
本願の請求項１の考案は、本体と、該本体の前端に設けられる牽引装置と、該牽引装置を包覆するカバーとを有し、
前記本体は、少なくとも前支持ロッドと、後支持ロッドと、該前支持ロッドと後支持ロッドを連結する中間ロッドと、該中間ロッドに摺動可能に設けられる座と、を備え、
前記前支持ロッドの上部と下部に切欠きと貫通孔が形成され、該切欠きと貫通孔に弾性ロープが設けられ、
前記牽引装置は、該前支持ロッドの底部に設けられる取付座を有し、該取付座の上側に平行の取付ブロックが設けられ、該取付ブロック同士の間に両端にスプリングと回転部材を結合する枢軸が枢設され、該回転部材の周縁に抵抗装置が設けられ、該抵抗装置はロープによって該カバーに設ける調整部材と連結され、
前記枢軸の中段にロープが設けられ、該ロープの他端がカバーを貫通してハンドルと連結されることを特徴とする引張式運動装置、を提供する。
【０００６】
本願の請求項２の考案は、該抵抗装置は一端が取付座に設けられると共に、他端がスプリングと連結されるバンドであり、該スプリングの一端が取付座に設けられると共に、他端にロープが設けられ、該ロープの他端がカバーに設ける調整部材と連結され、前記前支持ロッドの下部に中間ロッドに向かってペダルが設けられることを特徴とする請求項１に記載の引張式運動装置、を提供する。
【０００７】
本願の請求項３の考案は、前記取付座における回転部材の一側に磁性を有する抵抗装置が設けられると共に、該回転部材の外側に金属プレートが設けられ、ロープによって抵抗装置と回転部材との距離を制御することにより、回転部材の抵抗力を調整し、前記前支持ロッドの下部に中間ロッドに向かってペダルが設けられることを特徴とする請求項１に記載の引張式運動装置、を提供する。
【考案の効果】
【０００８】
本考案は上記の課題を解決するものであり、同時に体の異なる部位を鍛練することができ、収納も非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る引張式運動装置の斜視図であり、図２は本考案に係る引張式運動装置の部分断面図であり、図３は本考案に係る引張式運動装置の牽引装置を示す斜視図であり、図４は本考案に係る引張式運動装置の牽引装置を示す分解斜視図であり、図５は本考案に係る引張式運動装置の牽引装置の他の実施例を示す分解斜視図であり、図６は本考案に係る引張式運動装置の第１使用状態を示す平面図であり、図７は本考案に係る引張式運動装置の第２使用状態を示す平面図であり、図８は本考案に係る引張式運動装置の第３使用状態を示す平面図である。
【００１１】
図１及び図２に示すように、本考案に係る引張式運動装置は、本体（１０）と、該本体（１０）の前端に設けられる牽引装置（２０）と、該牽引装置（２０）を包覆するカバー（３０）とを有し、該本体（１０）は、前支持ロッド（１１）と、後支持ロッド（１２）と、該前支持ロッド（１１）と後支持ロッド（１２）を連結する中間ロッド（１３）と、該中間ロッド（１３）に摺動可能に設けられる座（１５）と、を備え、該座（１５）の前端に位置決め孔（１５１）が形成されると共に、中間ロッド（１３）に複数の間隔の調整孔（１３１）が形成され、該位置決め孔（１５１）と調整孔（１３１）に位置決めロッド（１５５）が挿入されることにより、該座（１５）を中間ロッド（１３）に位置決める。
【００１２】
又、図１乃至図３に示すように、前記前支持ロッド（１１）の下端にベース（１４）が設けられ、該ベース（１４）に前記牽引装置（２０）が設けられ、又、該ベース（１４）に中間ロッド（１３）に向かってペダル（１６）が設けられる。
【００１３】
図２乃至図４に示すように、前記ベース（１４）の上側に底板（１４１）が設けられ、該底板（１４１）に前記牽引装置（２０）が設けられ、該前支持ロッド（１１）と底板（１４１）の外側にカバー（３０）が設けられ、前記牽引装置（２０）は、取付座（２１）を有し、該取付座（２１）の上側に平行の取付ブロック（２２）が設けられ、該取付ブロック（２２）同士の間に枢軸（２３）が枢設され、該枢軸（２３）の両端にスプリング（２４）と回転部材（２５）が結合され、該回転部材（２５）と枢軸（２３）との間にベアリング（符号なし）が設けられ、該回転部材（２５）の周縁に抵抗装置（２６）が設けられ、本実施例において、該抵抗装置（２６）は一端が取付座（２１）に設けられると共に、他端がスプリング（２７）と連結されるバンドであり、該スプリング（２７）の一端が取付座（２１）に設けられると共に、他端にロープ（２７１）が設けられ、該ロープ（２７１）の他端がカバー（３０）に設ける調整部材（２８）と連結され、該調整部材（２８）を回転することにより、抵抗装置（２６）を制御する。
【００１４】
又、図１及び図２に示すように、前記枢軸（２３）の中段にロープ（２９）が設けられ、該ロープ（２９）の他端がカバー（３０）を貫通してハンドル（２９１）と連結され、該ハンドル（２９１）を引張る際、ロープ（２９）に通じて回転部材（２５）を駆動することにより、身体を鍛練する。
【００１５】
図５に示すように、本考案に係る引張式運動装置の抵抗装置（２６Ａ）の他の実施例は、取付座（２１）における回転部材（２５Ａ）の一側に磁性を有する抵抗装置（２６Ａ）が設けられると共に、該回転部材（２５Ａ）の外側に金属プレートが設けられ、ロープ（２７１）によって抵抗装置（２６Ａ）と回転部材（２５Ａ）との距離を制御することにより、回転部材（２５Ａ）の抵抗力を調整する。
【００１６】
図６に示すように、本考案に係る引張式運動装置を使用する場合、使用者の足がペダル（１６）を踏むと共に、手がハンドル（２９１）を握って引張り、座（１５）が中間ロッド（１３）に摺動することにより、足と手の筋肉を鍛練することができる。
【００１７】
又、図７に示すように、座（１５）を位置決めロッド（１５５）によって中間ロッド（１３）に位置決める場合、使用者の手がハンドル（２９１）を握って引張ると共に、腹筋をすることにより、手の筋肉を腹筋を鍛練することができる。
【００１８】
図１、図２及び図８に示すように、前記ベース（１４）に切欠き（１４３）と貫通孔（１４５）が形成され、該前支持ロッド（１１）の上部の両側に切欠き（１４８）と貫通孔（１４６）が形成され、使用者は該ベース（１４）における切欠き（１４３）と貫通孔（１４５）に、又は前支持ロッド（１１）の上部の両側における切欠き（１４８）と貫通孔（１４６）に弾性ロープ（４０）が設けられ、該弾性ロープ（４０）を引張ることにより、手を鍛練することができる。
【００１９】
又、収納性を向上するために、前記後支持ロッド（１２）を中間ロッド（１３）の下側に折り畳むことができ、更に、該中間ロッド（１３）は二本の伸縮ロッドからなる。
【産業上の利用可能性】
【００２０】
本考案は上記の構成を有するので、同時に体の異なる部位を鍛練することができ、収納も非常に便利である。
【図面の簡単な説明】
【００２１】
【図１】本考案に係る引張式運動装置の斜視図である。
【図２】本考案に係る引張式運動装置の部分断面図である。
【図３】本考案に係る引張式運動装置の牽引装置を示す斜視図である。
【図４】本考案に係る引張式運動装置の牽引装置を示す分解斜視図である。
【図５】本考案に係る引張式運動装置の牽引装置の他の実施例を示す分解斜視図である。
【図６】本考案に係る引張式運動装置の第１使用状態を示す平面図である。
【図７】本考案に係る引張式運動装置の第２使用状態を示す平面図である。
【図８】本考案に係る引張式運動装置の第３使用状態を示す平面図である。
【符号の説明】
【００２２】
１０        本体
１１        前支持ロッド
１２        後支持ロッド
１３        中間ロッド
１３１      調整孔
１４        ベース
１４１      底板
１４３      切欠
１４５      貫通孔
１４６      貫通孔
１４８      切欠
１５        座
１５１      位置決め孔
１５５      位置決めロッド
１６        ペダル
２０        牽引装置
２１        取付座
２２        取付ブロック
２３        枢軸
２４        スプリング
２５        回転部材
２５Ａ      回転部材
２６        抵抗装置
２６Ａ      抵抗装置
２７        スプリング
２７１      ロープ
２８        調整部材
２９        ロープ
２９１      ハンドル
３０        カバー
４０        弾性ロープ
【図１】
0003112719.tif 000003
【図２】
0003112719.tif 000004
【図３】
0003112719.tif 000005
【図４】
0003112719.tif 000006
【図５】
0003112719.tif 000007
【図６】
0003112719.tif 000008
【図７】
0003112719.tif 000009
【図８】
0003112719.tif 000010